(57)【要約】【課題】コートやオーバー等の嵩張る上衣において、着用しない時に上衣本体に付属する袋体に簡単に収納できて携帯が容易であり、上衣の着用時に袋体の存在による不快感や違和感が生じず、上衣の美観を損ねることのない収納用袋体内蔵型上衣を提供する。【解決手段】後身頃の裏地と表地の間に袋体を有し、該袋体の開口部は後身頃の裏地上に設けられており、該開口部はリバーシブルファスナー等の留め具を有している収納用袋体内蔵型上衣である。着用しない時は上衣本体を簡単に袋体に収納できる。袋体に帯状体を設けると上衣本体を袋体に収納したとき該帯状体を持ち手として全体を容易に携帯できる。【選択図】図１
2020070512.tif 000002
【特許請求の範囲】
【請求項１】
収納用袋体内蔵型上衣であって、
後身頃の裏地と表地の間に袋体を有し、
該袋体の開口部は、後身頃の裏地上に設けられており、
該開口部は留め具を有していることを特徴とする収納用袋体内蔵型上衣。
【請求項２】
前記袋体の開口部は、後身頃の裏地の裾の略中央部に該裾に平行に設けられていることを特徴とする請求項1に記載の収納用袋体内蔵型上衣。
【請求項３】
前記留め具がリバーシブルファスナーであることを特徴とする請求項1または２に記載の収納用袋体内蔵型上衣。
【請求項４】
前記袋体は帯状体を備えていることを特徴とする請求項1乃至３のいずれか1項に記載の収納用袋体内蔵型上衣。
【請求項５】
前記帯状体は前記袋体の開口部と向かい合う端縁に設けられていることを特徴とする請求項４に記載の収納用袋体内蔵型上衣。
【発明の詳細な説明】
【技術分野】
【０００１】
本発明はコート、オーバーなどの上衣に関し、さらに詳細には、着用しない時は上衣本体をその後身頃の表地と裏地の間に内蔵する袋体に収納することができ、収納時はコンパクトになり携帯が容易である収納用袋体内蔵型上衣に関する。
【背景技術】
【０００２】
コート、オーバー等の上衣は概して嵩張るので、携帯しにくい。特に着用して外出中に暑くなって脱ぎたい場合や、出発時は温かくてコートやオーバーは必要が無いが外出中に寒くなりコートやオーバーが必要になることが見込まれる場合などは、コートやオーバーを携帯することが必要になる。このような場合に、コートやオーバーを持ち運ぶための鞄やリュックサックなどの入れ物を別に持ち歩く必要がある。
【０００３】
上記の問題を解決するため衣類の裏側に袋体を設けたものが提案されている（特許文献１）。これは、着用しない時に衣類本体を折りたたんで該袋体に収納することができ、袋体に背負い紐あるいは手提げ用の紐などを設けることにより、衣類本体を収納した袋体を背負う、あるいは手に提げて携帯することができるものである。
【０００４】
しかしこれらは袋体が衣類の裏面に剥き出しに取り付けられているため衣類の裏面が平滑でなく着用した時に不快感が生ずる。また衣類の裏面の美観も損なっている。
【先行技術文献】
【特許文献】
【０００５】
【特許文献１】特開２０１４−１９９７８号公報
【発明の概要】
【発明が解決しようとする課題】
【０００６】
本発明が解決しようとする課題は、コートやオーバー等の厚手の嵩張る上衣において、外出中に着用しない時に上衣本体に付属する袋体に簡単に収納できて携帯が容易な収納用袋体内蔵型上衣を提供することである。特に、上衣の着用時に袋体の存在による不快感や違和感が生じず、上衣の美観を損ねることのない収納用袋体内蔵型上衣を提供する。
【課題を解決するための手段】
【０００７】
本願発明者は、種々検討を重ねた結果、オーバーやコートなど嵩張る上衣を収納用袋体内蔵型にして着用しない時に携帯容易にする場合に、該袋体の存在による該上衣着用時に生ずる不快感、違和感を最小限にするためには、該袋体を上衣の表地と裏地の間に設けることが適切であり、また、それによって袋体が開口部以外は上衣の表面にも裏面にも露出しないため美観を損ねる程度を最小限にすることができることに想到した。さらに開口部を上衣本体の裾部に設けることにより上衣本体の収納及び取り出しが容易となる上、開口部が最も目立ちにくくなることにも想到し本発明に至った。
【０００８】
第一の発明に係る収納用袋体内蔵型上衣は、後身頃の裏地と表地の間に袋体を有し、該袋体の開口部は後身頃の裏地上に設けられており、該開口部は留め具を有していることを特徴とするものである。
【０００９】
第二の発明に係る収納用袋体内蔵型上衣は、第一の発明に係る収納用袋体内蔵型上衣であって、前記袋体の開口部は後身頃の裏地の裾の略中央部に該裾に平行に設けられていることを特徴とするものである。
【００１０】
第三の発明に係る収納用袋体内蔵型上衣は、第一の発明または第二の発明に係る収納用袋体内蔵型上衣であって、前記留め具がリバーシブルファスナーであることを特徴とするものである。
【００１１】
第四の発明に係る収納用袋体内蔵型上衣は、第一の発明乃至第三の発明のいずれかに係る収納用袋体内蔵型上衣であって、前記袋体は帯状体を備えていることを特徴とするものである。
【００１２】
第五の発明に係る収納用袋体内蔵型上衣は、第四の発明に係る収納用袋体内蔵型上衣であって、前記帯状体は前記袋体の開口部と向かい合う端縁に設けられていることを特徴とするものである。
【発明の効果】
【００１３】
本願発明に係る収納用袋体内蔵型上衣は、外出中において着用しない時に内蔵する袋体に簡単に収納できるので携帯が容易である。また該袋体は上衣本体の後身頃の表地と裏地の間に設けられており,開口部以外は後身頃の裏面に露出していないので、該上衣を着用した時に袋体の存在による不快感や違和感は最小限となり、袋体の存在による美観への悪影響も最小限にとどまる。さらに袋体に背負い紐あるいは持ち手となる帯状体を取り付けた場合は袋体に収納した上衣を背負ったり手に提げたりして携帯できるので、携帯がより容易となる。
【図面の簡単な説明】
【００１４】
【図１】図１は本発明に係る一実施例である収納用袋体内蔵型上衣の前身頃を開いた状態を表した図である。（実施例１）
【図２】図２は図１に示した収納用袋体内蔵型上衣を袋体に収納するために折りたたんだ状態を表した図である。
【図３】図３は図２に示した折りたたんだ状態の収納用袋体内蔵型上衣を袋体に収納するためにさらにロール状に巻いた状態を表した図である。
【図４】図４は図３に示した収納用袋体内蔵型上衣本体を袋体に収納している状態を表した図である。
【図５】図５は図１に示した収納用袋体内蔵型上衣本体を袋体に収納し、全体が手提げ状の形状になった状態を表した図である。
【発明を実施するための形態】
【００１５】
つぎに、本発明の実施形態を図面に基づいて説明するが、本発明の技術的範囲を逸脱しない範囲において様々な変更や修正が可能であることは言うまでもない。本発明に係る上衣は特に限定されるものではなく、オーバー、コート、ジャンパー等の上着類やレインコートなどの雨具等も含まれる。なお本明細書において留め具とはファスナー、ボタンなど、袋体の開口部を閉じた状態に固定するための道具を指す。
【実施例１】
【００１６】
図１は本発明に係る一実施例である収納用袋体内蔵型コート１の前身頃２ａを開いた状態を表した図である。後身頃２ｂの裏地と表地の間に袋体３が取り付けられている。袋体３の形状は特に限定されず、上衣本体２の収納のし易さや、収納したときの形状の美観等を考慮して適宜定めることができる。また袋体３の大きさも特に限定されず、上衣本体２を構成する生地の厚さ等に応じて所望の大きさとすることができる。袋体３を構成する生地は薄手で強靭なものが好ましい。
【００１７】
袋体３の取り付け位置は特に限定されないが収納のし易さ等から後身頃２ｂの中央部が好適である。袋体３の開口部３ａは後身頃の裏地上に設けられている。開口部３ａの位置は特に限定されないが収納のし易さや、目立ちにくさ等から後身頃の裾部の略中央部に裾に平行に設けるのが好適である。本実施例においては袋体の開口部３ａには留め具としてリバーシブルファスナーが取り付けられている。留め具としてはリバーシブルファスナーに限定するものではなく、普通のファスナーや面ファスナー、ボタン、ホックなどでもよい。しかし、上衣本体を着用する状態にした時に後身頃２ｂの裏面に現れている袋体開口部３ａの面は、上衣本体２を袋体３に収納したときには袋体の内側を向くので、留め具にリバーシブルファスナーを採用すると、上衣本体２を着用状態にするときも収納するときも袋体開口部３aの開閉が容易となり、留め具としてはリバーシブルファスナーを採用することが好ましい。
【００１８】
袋体３の開口部３ａに対向する端縁３ｂには帯状体４が取り付けられている。帯状体４は上衣本体２を袋体３に収納したとき袋体の持ち手となり携帯が容易となる。本実施例では帯状体４の本数は１本であるが収納したときにリュックサックのように背負って携帯できるように２本設けても良い。また帯状体４の取り付け位置も開口部３ａに対向する端縁３ｂに限定するものではなく、上衣本体２を袋体３に収納したときの形状や携帯するときの態様に合わせて適宜取り付け位置を定めることができる。
【００１９】
実施例１の上衣１を着用するときは袋体３を図１に示すように後身頃の裏地と表地の間に収納し、開口部３ａのリバーシブルファスナーは閉じておく。こうすることにより袋体３は剥き出しにならず、上衣本体２の後身頃２ｂの裏面は平滑となり着用した時に袋体３の存在による違和感や不快感を感ずることは最小限となる。また、袋体３はその開口部３ａ以外は隠れ、開口部３ａも後身頃２ｂの裏面の裾部にあり目立たないので、後身頃２ｂの裏面の美観を損なう程度も最小限となっている。
【００２０】
上衣本体２を袋体３に収納するにあたっては、まず、上衣本体２を袋体３の開口部３ａの両端に合わせて縦に三つ折りにする（図２）。次に三つ折りにした上衣本体２を襟部２ｃからロール状に巻く（図３）。そして袋体３の開口部３ａのリバーシブルファスナーを開け、開口部３ａを高さ方向に開いて上衣本体２を巻きこむようにして袋体３を裏返していくと上衣本体２が袋体３の内部に収納される（図４）。上衣本体２の全体が袋体に入ったらリバーシブルファスナーを閉じ、収納が完了する（図５）。袋体３の内部に設けられていた帯状体４が外側に現れてくるため、これを持ち手として持つと上衣全体を手提げとして携帯することができる（図５）。この状態から着用する形に戻すときは、開口部３ａのリバーシブルファスナーを開き袋体３の生地を裏返しリバーシブルファスナーを閉じるだけで再び元の上衣本体２の形状（図１）に復元し、迅速に着用することができる。
【符号の説明】
【００２１】
１    収納用袋体内蔵型上衣
２    収納用袋体内蔵型上衣本体
２ａ  前身頃
２ｂ  後身頃
２ｃ  襟部
３    袋体
３ａ  開口部
３ｂ  開口部に対向する端縁
４    帯状体
【図１】
2020070512.tif 000003
【図２】
2020070512.tif 000004
【図３】
2020070512.tif 000005
【図４】
2020070512.tif 000006
【図５】
2020070512.tif 000007